(57)【要約】【課題】記録がなされたメディアを巻き取る際に巻き取り不良が生じることを抑制する。【解決手段】メディアＭを搬送方向Ａに搬送する搬送部６と、搬送方向Ａに搬送されるメディアＭに記録する記録部８と、記録部８よりも搬送方向Ａの下流側に設けられ、メディアＭの搬送をガイドしつつ搬送方向Ａを変化させるガイド部１０と、ガイド部１０よりも搬送方向Ａの下流側に設けられ、メディアＭを巻き取る巻取部１１と、搬送方向Ａにおける記録部８から巻取部１１までの間に位置するメディアＭと、ガイド部１０と、巻取部１１と、を加熱する加熱部Ｔと、を備える記録装置。【選択図】図１
2019155707.tif 000002
【特許請求の範囲】
【請求項１】
メディアを搬送方向に搬送する搬送部と、
前記搬送方向に搬送される前記メディアに記録する記録部と、
前記記録部よりも前記搬送方向の下流側に設けられ、前記メディアの搬送をガイドしつつ前記搬送方向を変化させるガイド部と、
前記ガイド部よりも前記搬送方向の下流側に設けられ、前記メディアを巻き取る巻取部と、
前記搬送方向における前記記録部から前記巻取部までの間に位置する前記メディアと、前記ガイド部と、前記巻取部と、を加熱する加熱部と、
を備えることを特徴とする記録装置。
【請求項２】
請求項１に記載の記録装置において、
前記加熱部を制御する加熱制御部を備え、
前記加熱部は、
前記搬送方向における前記記録部から前記ガイド部までの間に位置する前記メディアと、前記ガイド部と、を加熱する第１加熱部と、
前記搬送方向における前記ガイド部から前記巻取部までの間に位置する前記メディアと、前記巻取部と、を加熱する第２加熱部と、を有し、
前記加熱制御部は、前記第２加熱部で加熱される前記メディアの温度が前記第１加熱部で加熱される前記メディアの温度以下となるように、前記第２加熱部を制御することを特徴とする記録装置。
【請求項３】
請求項２に記載の記録装置において、
前記巻取部を制御する巻取制御部を備え、
前記第２加熱部は、
前記メディア及び前記巻取部と非接触で加熱する非接触式加熱部であり、
前記巻取制御部は、
前記メディアにおける記録が実行されない非記録面側を内側にして巻き取る第１巻き取りモードと、
前記メディアにおける記録が実行される記録面側を内側にして巻き取る第２巻き取りモードと、を選択して実行可能であり、
前記加熱制御部は、前記第１巻き取りモードが実行されているか前記第２巻き取りモードが実行されているかに応じて、前記第２加熱部の制御を変更することを特徴とする記録装置。
【請求項４】
請求項２または３のいずれか１項に記載の記録装置において、
前記記録部は、前記メディアにおける記録が実行される記録面に液滴を吐出する記録ヘッドを有し、
前記加熱制御部は、前記記録面に吐出される前記液滴の量の増加に伴って前記第２加熱部の出力を増加させることを特徴とする記録装置。
【発明の詳細な説明】
【技術分野】
【０００１】
本発明は、記録装置に関する。
【背景技術】
【０００２】
従来から、様々な記録装置が使用されている。このうち、記録がなされたメディアを巻き取る巻取部を備える記録装置がある。巻取部を備える記録装置においては、例えば液状のインクが乾燥する前に巻き取り動作が実行されるなど巻き取り動作に伴ってメディアに形成された記録画像が損傷することを抑制するため、巻き取り前にメディアを加熱することで乾燥を促進する場合がある。  
巻き取り前にメディアを加熱することが可能な記録装置として、例えば、特許文献１には、記録媒体（メディア）にインクを吐出する記録ヘッドと、該インクを硬化させるためのヒーター（加熱部）と、記録がなされた記録媒体を巻き取る巻き取り軸（巻取部）と、記録媒体の搬送をガイドしつつ記録媒体の搬送方向を変化させるテンションバー（ガイド部）と、を備えるプリンタ（記録装置）が開示されている。
【先行技術文献】
【特許文献】
【０００３】
【特許文献１】国際公開第２０１４／１１９０３１号
【特許文献２】特開２００５−１６１６６４号公報
【発明の概要】
【発明が解決しようとする課題】
【０００４】
使用するメディアの種類などによっては、加熱することで膨張または収縮する場合がある。また、液滴を吐出してメディアに画像を形成した場合、該メディアの加熱に伴う該液滴の揮発成分の揮発度合いなどによって、メディアの膨張又は収縮度合いにムラができる場合がある。このため、特許文献１に記載されるような従来の記録装置においては、記録がなされたメディアが加熱され、さらに巻き取られる前にメディア温度が室温（記録装置が置かれた環境の温度）に戻ることで、メディアは急激に温度変化する。そして、メディアの急激な温度変化によって、該メディアに皺やコックリングなどが生じ、該メディアを巻き取る際に巻き取り不良（皺が付いた状態で巻き取ることや巻き取られたメディアに巻きずれが生じることなど）が生じる場合があった。
【０００５】
なお、特許文献２には、記録紙（メディア）を巻き取る直前の部分において巻取り手段（巻取部）を加熱可能なヒーターを備える乾燥手段が開示されているが、このような構成であっても、記録がなされてから巻き取られるまでの間（巻き取られる直前）にメディアは急激に温度変化するので、メディアが膨張又は収縮して巻き取り不良が生じる場合がある。さらには、特許文献１のプリンタに特許文献２に記載される構成（すなわち、巻き取り軸を加熱する構成）を採用しても、テンションバーの上流側のヒーターの形成位置からテンションバーの下流側の巻き取り軸の形成位置までの広い範囲内において記録媒体の温度が急激に低下してしまい（例えばテンションバーとの接触に伴い温度が急低下する）、また、巻き取られる直前に急激に温度が上昇してしまうので、巻き取り不良が生じることが予想される。
【０００６】
そこで、本発明の目的は、記録がなされたメディアを巻き取る際に巻き取り不良が生じることを抑制することである。
【課題を解決するための手段】
【０００７】
上記課題を解決するための本発明の第１の態様の記録装置は、メディアを搬送方向に搬送する搬送部と、前記搬送方向に搬送される前記メディアに記録する記録部と、前記記録部よりも前記搬送方向の下流側に設けられ、前記メディアの搬送をガイドしつつ前記搬送方向を変化させるガイド部と、前記ガイド部よりも前記搬送方向の下流側に設けられ、前記メディアを巻き取る巻取部と、前記搬送方向における前記記録部から前記巻取部までの間に位置する前記メディアと、前記ガイド部と、前記巻取部と、を加熱する加熱部と、を備えることを特徴とする。
【０００８】
本態様によれば、搬送方向における記録部から巻取部までの間に位置するメディアと、ガイド部と、巻取部と、を加熱する加熱部と、を備える。このため、記録部で記録がなされてから巻取部で巻き取られるまでのメディアの急激な温度変化を抑制できる。したがって、記録がなされたメディアを巻き取る際の巻き取り不良を抑制できる。
【０００９】
本発明の第２の態様の記録装置は、前記第１の態様において、前記加熱部を制御する加熱制御部を備え、前記加熱部は、前記搬送方向における前記記録部から前記ガイド部までの間に位置する前記メディアと、前記ガイド部と、を加熱する第１加熱部と、前記搬送方向における前記ガイド部から前記巻取部までの間に位置する前記メディアと、前記巻取部と、を加熱する第２加熱部と、を有し、前記加熱制御部は、前記第２加熱部で加熱される前記メディアの温度が前記第１加熱部で加熱される前記メディアの温度以下となるように、前記第２加熱部を制御することを特徴とする。
【００１０】
本態様によれば、第２加熱部で加熱されるメディアの温度が第１加熱部で加熱されるメディアの温度以下となるように制御する。巻き取られたメディアはいずれ室温になるが、第２加熱部で加熱されるメディアの温度を第１加熱部で加熱されるメディアの温度以下とすることで、巻き取られたメディアの急激な温度変化も抑制でき、巻き取り不良を特に効果的に抑制できる。
【００１１】
本発明の第３の態様の記録装置は、前記第２の態様において、前記巻取部を制御する巻取制御部を備え、前記第２加熱部は、前記メディア及び前記巻取部と非接触で加熱する非接触式加熱部であり、前記巻取制御部は、前記メディアにおける記録が実行されない非記録面側を内側にして巻き取る第１巻き取りモードと、前記メディアにおける記録が実行される記録面側を内側にして巻き取る第２巻き取りモードと、を選択して実行可能であり、前記加熱制御部は、前記第１巻き取りモードが実行されているか前記第２巻き取りモードが実行されているかに応じて、前記第２加熱部の制御を変更することを特徴とする。
【００１２】
第１巻き取りモードと第２巻き取りモードとでは、搬送方向におけるガイド部から巻取部までの間においてメディアの位置が変わるため、第２加熱部からメディアまでの距離が変わる場合などがあり、第２加熱部における好ましい加熱温度が変わる場合がある。本態様によれば、第１巻き取りモードが実行されているか第２巻き取りモードが実行されているかに応じて第２加熱部の制御を変更するので、第１巻き取りモードが実行されているか第２巻き取りモードが実行されているかに関わらず第２加熱部を好ましい加熱条件とすることができる。例えば、第１巻き取りモード及び第２巻き取りモードのうち、第２加熱部とメディアとの間隔が狭いモードの場合は加熱温度を下げ、第２加熱部とメディアとの間隔が広いモードの場合は加熱温度を上げることで、効果的に第２加熱部を好ましい加熱温度とすることができる。
【００１３】
本発明の第４の態様の記録装置は、前記第２または第３の態様において、前記記録部は、前記メディアにおける記録が実行される記録面に液滴を吐出する記録ヘッドを有し、前記加熱制御部は、前記記録面に吐出される前記液滴の量の増加に伴って前記第２加熱部の出力を増加させることを特徴とする。
【００１４】
本態様によれば、記録面に吐出される液滴の量に応じて加熱部を制御するので、例えば、液滴の量が多い場合は第２加熱部の出力を増加させ（加熱温度を高くして）液滴の揮発成分を効果的に揮発させ、液滴の量が少ない場合は第２加熱部の出力を減少させ（加熱温度を低くして）室温との温度差を小さくするなどでき、効果的に巻き取り不良を抑制できる。
【図面の簡単な説明】
【００１５】
【図１】本発明の実施例１に係る記録装置を表す概略側面図。
【図２】本発明の実施例１に係る記録装置を表す概略側面図。
【図３】本発明の実施例１に係る記録装置のブロック図。
【図４】本発明の実施例２に係る記録装置を表す概略側面図。
【発明を実施するための形態】
【００１６】
［実施例１］（図１から図３）  
以下に、実施例１に係る記録装置１について、添付図面を参照して詳細に説明する。  
最初に、本実施例の記録装置１の概要について説明する。  
図１及び図２は、本実施例の記録装置１の概略側面図を表している。このうち、図１は、メディアＭにおいて記録が実行される（画像が形成される）記録面Ｍ１が外側に巻かれたロール体Ｒ１を使用し、記録面Ｍ１を外側にして巻き取ってロール体Ｒ２を形成している状態を表している。一方、図２は、記録面Ｍ１が内側に巻かれたロール体Ｒ１を使用し、記録面Ｍ１を内側にして巻き取ってロール体Ｒ２を形成している状態を表している。
【００１７】
本実施例の記録装置１は、記録を行うためのメディアＭを送り出すことが可能にロール体Ｒ１をセットするセット部２を備えている。なお、本実施例の記録装置１はメディアＭとしてロール式の被記録媒体を使用しているが、このようなロール式の被記録媒体を使用する記録装置に限定されない。例えば、記録がなされたメディアＭを巻き取り可能であれば、折り畳み型の被記録媒体などを用いてもよい。
【００１８】
本実施例の記録装置１は、メディアＭを搬送方向Ａに搬送する際、記録面Ｍ１が外側に巻かれたロール体Ｒ１を使用した場合、セット部２を回転方向Ｃ１（図１参照）に回転する。一方、本実施例の記録装置１は、メディアＭを搬送方向Ａに搬送する際、記録面Ｍ１が内側に巻かれたロール体Ｒ１を使用した場合、セット部２を回転方向Ｃ２（図２参照）に回転する。
【００１９】
また、本実施形態の記録装置１は、メディアＭを搬送方向Ａに搬送するための搬送部である搬送ローラー対６を第１プラテン３と第２プラテン７との間の位置に備えている。搬送ローラー対６は、搬送モーター２７（図３参照）の駆動力により駆動（回転）する駆動ローラー４と、該駆動ローラー４の回転に伴い回転する従動ローラー５と、で構成されている。そして、セット部２が回転方向Ｃ１又は回転方向Ｃ２に回転し、搬送ローラー対６が回転（駆動ローラー４が回転方向Ｃ１に回転）し、後述の巻取部１１が回転方向Ｃ１又は回転方向Ｃ２に回転することによりメディアＭは搬送方向Ａに搬送される。
【００２０】
また、本実施例の記録装置１は、メディアＭの搬送方向Ａと交差する走査方向Ｂに記録部としてのキャリッジ８を往復走査させて記録する。キャリッジ８は記録面Ｍ１にインク（液滴）を吐出する記録ヘッドＨを有しており、キャリッジ８を走査方向Ｂに往復走査させながら記録ヘッドＨからインクを吐出することでメディアＭに画像が形成（記録）される。
【００２１】
上記のような構成により、記録ヘッドＨは、搬送方向Ａと交差する走査方向Ｂに往復移動しながら、搬送されるメディアＭに不図示のノズルからインクを吐出して記録する（画像を形成する）ことが可能である。このような構成の記録ヘッドＨを備えていることにより、本実施例の記録装置１は、所定の搬送量でメディアＭを搬送方向Ａに搬送させる搬送動作と、メディアＭを停止した状態で記録ヘッドＨを走査方向Ｂに移動させながらインクを吐出させる吐出動作と、を繰り返すことで、メディアＭに所望の画像を形成可能である。
【００２２】
なお、本実施例の記録装置１は、キャリッジ８（記録ヘッドＨ）を往復移動させて記録する構成であるが、インクを吐出するノズルを搬送方向Ａと交差する方向に複数設けた所謂ラインヘッドを備える記録装置としてもよい。  
ここで、「ラインヘッド」とは、メディアＭの搬送方向Ａと交差する交差方向に形成されたノズルの領域が、例えばメディアＭの該交差方向全体をカバー可能なように設けられ、記録ヘッド又はメディアＭの一方を固定し他方を移動させて画像を形成する記録装置に用いられる記録ヘッドである。なお、ラインヘッドの前記交差方向のノズルの領域は、記録装置が対応している全てのメディアＭの前記交差方向全体をカバー可能でなくてもよい。
【００２３】
また、本実施例の記録装置１は、キャリッジ８と対向する領域に、メディアＭの支持部としての第２プラテン７を備えており、メディアＭの搬送方向Ａにおける第２プラテン７の上流側に第１プラテン３、メディアＭの搬送方向Ａにおける第２プラテン７の下流側に第３プラテン９を備えている。そして、本実施例の記録装置１は、第１プラテン３、第２プラテン７及び第３プラテン９には、メディアＭに吐出されたインクの揮発成分の一部を蒸発させるため、電熱線からなる不図示の加熱部が夫々設けられている。ただし、第１プラテン３、第２プラテン７及び第３プラテン９に加熱部を備える構成に限定されない。
【００２４】
また、第３プラテン９よりも搬送方向Ａにおける下流側には、メディアＭを巻き取る際の該メディアＭの張力を調整する役割のテンションバー１０が設けられている。ここで、テンションバー１０は、メディアＭの搬送をガイドしつつ、図１及び図２で表されるように側面視において該メディアＭの搬送方向Ａを変化させる変化位置となる、ガイド部としての役割を兼ねている。なお、本実施例の記録装置１はメディアＭの張力を調整する役割のテンションバー１０が設けられているが、メディアＭの搬送をガイドしつつメディアＭの搬送方向Ａを変化させるガイド部が設けられていれば、該ガイド部がメディアＭの張力を調整する役割を有していなくてもよい。
【００２５】
テンションバー１０よりも搬送方向Ａにおける下流側には、メディアＭを巻き取り可能な巻取部１１が備えられている。なお、本実施例の記録装置１では、メディアＭを巻き取る際、記録面Ｍ１が外側となるように巻いてロール体Ｒ２を形成する場合、巻取部１１を回転方向Ｃ１（図１参照）に回転する。一方、本実施例の記録装置１は、メディアＭを巻き取る際、記録面Ｍ１が内側となるように巻いてロール体Ｒ２を形成する場合、巻取部１１を回転方向Ｃ２（図２参照）に回転する。
【００２６】
搬送方向Ａにおけるキャリッジ８よりも下流側であってテンションバー１０よりも上流側、かつ、第３プラテン９と対向する位置には、メディアＭを加熱可能な加熱部Ｔとしての第１加熱部Ｔ１が設けられている。第１加熱部Ｔ１は、第３プラテン９及びテンションバー１０に支持される位置におけるメディアＭを加熱可能であるとともに、テンションバー１０を加熱可能な構成になっている。
【００２７】
搬送方向Ａにおけるテンションバー１０よりも下流側であって巻取部１１よりも上流側の位置には、メディアＭを加熱可能な加熱部Ｔとしての第２加熱部Ｔ２が設けられている。第２加熱部Ｔ２は、搬送方向Ａにおけるテンションバー１０から巻取部１１までの位置のメディアＭを加熱可能であるとともに、巻取部１１を加熱可能な構成になっている。
【００２８】
なお、本実施例の第１加熱部Ｔ１及び第２加熱部Ｔ２は、共に、メディアＭに電磁波（赤外線）を照射可能な赤外線ヒーターである。ただし、加熱部Ｔの構成や配置などに特に限定は無く、例えば、第１加熱部Ｔ１及び第２加熱部Ｔ２の少なくとも一方として、赤外線ヒーター以外の加熱部を使用してもよい。赤外線ヒーター以外の加熱部としては、接触式加熱部として、電熱線やチューブヒーターなどが挙げられる。また、非接触式加熱部として、赤外線ヒーターを単体で用いる以外に、加熱空気を吹き付けたり、加熱空気と赤外線ヒーターとを組み合わせたりしてもよい。また、接触式の加熱部と非接触式の加熱部とを組み合わせて一つの加熱部として構成してもよい。
【００２９】
次に、本実施例の記録装置１における電気的な構成について説明する。  
図３は、本実施例の記録装置１のブロック図である。
【００３０】
制御部１２には、記録装置１の全体の制御を司るＣＰＵ１３が設けられている。ＣＰＵ１３は、システムバス１４を介して、ＣＰＵ１３が実行する各種制御プログラム等を格納したＲＯＭ１５と、データを一時的に格納可能なＲＡＭ１６とに接続されている。
【００３１】
また、ＣＰＵ１３は、システムバス１４を介して、記録ヘッドＨを駆動する（インクを吐出させる）ためのヘッド駆動部１７と接続されている。
【００３２】
また、ＣＰＵ１３は、システムバス１４を介して、キャリッジモーター１９、搬送モーター２０、送出モーター２１及び巻取モーター２２と接続される、モーター駆動部１８と接続されている。  
ここで、キャリッジモーター１９は、記録ヘッドＨを搭載したキャリッジ８を走査方向Ｂに移動させるためのモーターである。また、搬送モーター２０は、搬送ローラー対６を構成する駆動ローラー４を駆動するためのモーターである。また、送出モーター２１は、セット部２の回転機構であり、メディアＭを搬送ローラー対６に送出するためにセット部２を駆動するモーターである。そして、巻取モーター２２は、巻取部１１を回転させるための駆動モーターである。
【００３３】
また、ＣＰＵ１３は、システムバス１４を介して、加熱部Ｔと接続される、加熱部駆動部２３と接続されている。なお、加熱部駆動部２３は、第１加熱部Ｔ１及び第２加熱部Ｔ２のほか、第１プラテン３、第２プラテン７及び第３プラテン９に設けられる不図示の加熱部の駆動も可能な構成になっている。
【００３４】
さらに、ＣＰＵ１３は、システムバス１４を介して、記録データ等のデータ及び信号の送受信を行うためのＰＣ２５と接続される、入出力部２４と接続されている。
【００３５】
本実施例の制御部１２は、このような構成をしていることで、キャリッジ８による記録（記録ヘッドＨからのインクの吐出）を制御する記録制御部、キャリッジ８の走査を制御する走査制御部、メディアＭの送出を制御する送出制御部、メディアＭの搬送を制御する搬送制御部、メディアＭの巻き取りを制御する巻取制御部、加熱部Ｔの加熱を制御する加熱制御部、の役割を有している。
【００３６】
ここで、一旦まとめると、本実施例の記録装置１は、メディアＭを搬送方向Ａに搬送する搬送部としての搬送ローラー対６と、搬送方向Ａに搬送されるメディアＭに記録する記録部としてのキャリッジ８と、を備えている。また、キャリッジ８よりも搬送方向Ａの下流側に設けられ、メディアＭの搬送をガイドしつつ搬送方向Ａを変化させるガイド部としてのテンションバー１０と、テンションバー１０よりも搬送方向Ａの下流側に設けられ、メディアＭを巻き取る巻取部１１と、を備えている。
【００３７】
そして、本実施例の記録装置１は、搬送方向Ａにおけるキャリッジ８から巻取部１１までの間に位置するメディアＭと、テンションバー１０と、巻取部１１と、を加熱する加熱部Ｔと、を備えている。  
このため、本実施例の記録装置１は、キャリッジ８で記録がなされてから巻取部１１で巻き取られるまでのメディアＭの急激な温度変化を抑制できる構成になっている。特に、メディアＭだけではなく、テンションバー１０と巻取部１１とを加熱することで、メディアＭからテンションバー１０や巻取部１１に熱が逃げることを抑制できる。したがって、本実施例の記録装置１は、記録がなされたメディアＭを巻き取る際の巻き取り不良を抑制できる。
【００３８】
なお、「搬送方向Ａにおけるキャリッジ８から巻取部１１までの間に位置するメディアＭ…を加熱する」とは、搬送方向Ａにおけるキャリッジ８から巻取部１１までの間に位置するメディアＭを全ての位置で加熱する構成に限定されない。搬送方向Ａにおけるキャリッジ８から巻取部１１までの間の一部においてメディアＭを加熱しない構成も含む意味である。すなわち、第１加熱部Ｔ１は搬送方向Ａにおけるキャリッジ８からテンションバー１０までの間に位置するメディアＭを全ての位置で加熱する構成に限定されず、第２加熱部Ｔ２は搬送方向Ａにおけるテンションバー１０から巻取部１１までの間に位置するメディアＭを全ての位置で加熱する構成に限定されない。
【００３９】
また、本実施例の記録装置１は、搬送方向Ａにおけるキャリッジ８から巻取部１１までの間（記録後、メディアＭが巻き取られるまでの間）だけでなく、第１プラテン３に設けられた不図示の加熱部により記録前、第２プラテン７に設けられた不図示の加熱部により記録中、すなわち、搬送方向Ａにおけるセット部２からキャリッジ８までの間もメディアＭを加熱可能な構成になっている。さらに、第３プラテン９と第１加熱部Ｔ１とが対向する領域においては、該第３プラテン９の加熱部と第１加熱部Ｔ１との両方によりメディアＭを加熱可能な構成になっている。このため、本実施例の記録装置１は、メディアＭの種類などに応じて、特に効果的にメディアＭを加熱可能な構成になっている。ただし、本実施例の記録装置１のような加熱部の構成に限定されない。
【００４０】
また、上記のように、本実施例の制御部１２は、加熱部Ｔを制御する加熱制御部としての役割を有している。  
加熱部Ｔは、図１及び図２で表されるように、第１加熱部Ｔ１と第２加熱部Ｔ２とを有している。上記のように、第１加熱部Ｔ１は、搬送方向Ａにおけるキャリッジ８からテンションバー１０までの間に位置するメディアＭと、テンションバー１０と、を加熱する。そして、第２加熱部Ｔ２は、搬送方向Ａにおけるテンションバー１０から巻取部１１までの間に位置するメディアＭと、巻取部１１と、を加熱する。  
ここで、制御部１２は、第２加熱部Ｔ２で加熱されるメディアＭの温度が第１加熱部Ｔ１で加熱されるメディアＭの温度以下となるように、第２加熱部Ｔ２を制御することができる。このとき、第１加熱部Ｔ１で加熱されるメディアＭの温度と、第２加熱部Ｔ２で加熱されるメディアＭの温度と、は、不図示の赤外線センサー等によって検出される。言い換えれば、テンションバー１０を挟んで搬送方向Ａの下流側におけるメディアＭの温度が、テンションバー１０を挟んで搬送方向Ａの上流側におけるメディアＭの温度よりも低くなるように制御される。ここで、制御部１２は、第１加熱部Ｔ１で加熱されるメディアＭの表面において、赤外線センサーによって検出された温度分布のうち最も高温部の温度に基づいて第２加熱部Ｔ２を制御する。もし、搬送方向Ａにおける単位時間当たりのメディアＭの搬送量（すなわち搬送速度）が速く、メディアＭの表面上における温度分布の搬送方向Ａへのシフトが顕著である場合には、所定の時刻で検出された、第１加熱部Ｔ１で加熱されるメディアＭの表面における温度分布の平均温度に基づいて、第２加熱部Ｔ２を制御することとしてもよい。これにより、温度分布の搬送方向Ａへのシフトによる温度分布の変化の影響を抑制できる。
【００４１】
なお、本実施例では、制御部１２が、第１加熱部Ｔ１により加熱されるメディアＭの温度を基準にして第２加熱部Ｔ２を制御することについて説明したが、これに限らない。例えば、一旦第１加熱部Ｔ１により加熱されるメディアＭの温度を基準にして第２加熱部Ｔ２を制御した後、第２加熱部Ｔ２により加熱されるメディアＭの温度の検出結果を制御部１２にフィードバックして、第２加熱部Ｔ２で加熱されるメディアＭの温度が第１加熱部Ｔ１で加熱されるメディアＭの温度以下となるように、第１加熱部Ｔ１を制御してもよい。また、メディアＭの表面の温度に基づいて制御する以外にも、第１加熱部Ｔ１から放射される放射エネルギーと、第２加熱部Ｔ２から放射される放射エネルギーと、のエネルギー出力量に基づいて、第１加熱部と第２加熱部とを制御してもよい。この場合、放射エネルギーは、不図示の赤外線センサー等により観測されることが好ましい。
【００４２】
ロール体Ｒ２として巻き取られたメディアＭはいずれ室温（記録装置１が置かれた環境の温度）になるが、第２加熱部Ｔ２で加熱されるメディアＭの温度を第１加熱部Ｔ１で加熱されるメディアＭの温度以下とすることで、巻き取られたメディアＭの急激な温度変化も抑制できる。また、第２加熱部Ｔ２で加熱されるメディアＭの温度を第１加熱部Ｔ１で加熱されるメディアＭの温度以下とすることで、メディアＭが過度に加熱されることを抑制できる。例えば、メディアＭとしてセルロース繊維やパルプ繊維を含む材料を使用する場合には、加熱されることによりメディアＭに含まれる水分子が減少し、繊維の直径方向に縮みやすくなることがある。すなわち、メディアＭが収縮する。このような場合であっても、本実施例はメディアＭが過度に加熱されることを抑制できるため、メディアＭの収縮に伴った、巻き取り不良の原因となるしわの発生を抑制できる。したがって、本実施例の記録装置１は、巻き取り不良を特に効果的に抑制できる構成になっている。
【００４３】
なお、本実施例の記録装置１は、ＰＣ２５を介して第１加熱部Ｔ１における加熱温度および第２加熱部Ｔ２における加熱温度を制御部１２に入力することで、第１加熱部Ｔ１における加熱温度および第２加熱部Ｔ２における加熱温度を設定することが可能な構成となっている。ただし、このような構成に限定されず、使用するメディアＭの種類などに応じて、自動的に、第２加熱部Ｔ２で加熱されるメディアＭの温度が第１加熱部Ｔ１で加熱されるメディアＭの温度以下となるように、制御部１２が夫々の加熱温度を設定する構成などとしてもよい。
【００４４】
また、上記のように、本実施例の制御部１２は、巻取部１１を制御する巻取制御部としての役割を有している。  
ここで、本実施例の記録装置１は、制御部１２の制御により、メディアＭにおける記録が実行されない非記録面Ｍ２側を内側にして巻き取る第１巻き取りモード（図１参照）と、メディアＭにおける記録が実行される記録面Ｍ１側を内側にして巻き取る第２巻き取りモード（図２参照）と、を選択して実行可能な構成となっている。  
そして、制御部１２は、第１巻き取りモードが実行されているか第２巻き取りモードが実行されているかに応じて、第２加熱部Ｔ２の制御を変更する（加熱温度を変更する）ことが可能な構成となっている。
【００４５】
図１及び図２を比較すると明らかなように、第１巻き取りモード（図１参照）と第２巻き取りモード（図２参照）とでは、搬送方向Ａにおけるテンションバー１０から巻取部１１までの間においてメディアＭの位置が変わるため、第２加熱部Ｔ２からメディアＭまでの距離（間隔）が変わる場合などがあり、第２加熱部Ｔ２における好ましい加熱温度が変わる場合がある。しかしながら、本実施例の記録装置１は、第１巻き取りモードが実行されているか第２巻き取りモードが実行されているかに応じて第２加熱部Ｔ２の制御を変更するので、第１巻き取りモードが実行されているか第２巻き取りモードが実行されているかに関わらず第２加熱部Ｔ２を好ましい加熱条件とすることができる。
【００４６】
なお、「第２加熱部Ｔ２の制御を変更する」方法に特に限定はない。本実施例の記録装置１のように、加熱温度を変更することのほか、第２加熱部Ｔ２のオン・オフタイミングを変更することや、第２加熱部から被加熱部材（メディアＭや巻取部１１）との距離を変更することや、第２加熱部から照射する電磁波（赤外線）の照射角度を変えることなどを実行してもよい。
【００４７】
また、繰り返しとなるが、本実施例の記録装置１においては、第１加熱部Ｔ１及び第２加熱部Ｔ２は、何れも、赤外線ヒーターである。すなわち、第１加熱部Ｔ１及び第２加熱部Ｔ２は、何れも、非接触式加熱部である。そして、上記のように、第１巻き取りモード（図１参照）と第２巻き取りモード（図２参照）とでは、搬送方向Ａにおけるテンションバー１０から巻取部１１までの間においてメディアＭの位置が変わるため、第２加熱部Ｔ２からメディアＭまでの距離（間隔）が変わる。そこで、制御部１２は、上記のように、第１巻き取りモード及び第２巻き取りモードのどちらを実行しているかに応じて、第２加熱部Ｔ２の制御を変更可能である。
【００４８】
別の表現をすると、本実施例の記録装置１においては、第２加熱部Ｔ２はメディアＭ及び巻取部１１と非接触で加熱する非接触式加熱部であり、制御部１２は第１巻き取りモード及び第２巻き取りモード夫々における第２加熱部Ｔ２とメディアＭとの間隔に応じて第２加熱部Ｔ２の制御を変更することができる。
【００４９】
このため、本実施例の記録装置１は、第１巻き取りモード及び第２巻き取りモードのうち、第２加熱部Ｔ２とメディアＭとの間隔が狭いモード（本実施例では第１巻き取りモード）の場合は加熱温度を下げ、第２加熱部Ｔ２とメディアＭとの間隔が広いモード（本実施例では第２巻き取りモード）の場合は加熱温度を上げることで、効果的に第２加熱部を好ましい加熱温度とすることができる。
【００５０】
さらには、本実施例の記録装置１は、ロール体Ｒ２の巻き径を検出する不図示のセンサーを有し、該センサーの検出した巻き径に応じて第１巻き取りモード及び第２巻き取りモードの夫々において第２加熱部Ｔ２の制御を変更することができる。該制御は、第１巻き取りモードにおいては巻き径が大きくなると第２加熱部Ｔ２とメディアＭとの間隔が狭くなり、第２巻き取りモードにおいては巻き径が大きくなると第２加熱部Ｔ２とメディアＭとの間隔が広くなることに対応するためである。このため、具体的には、第１巻き取りモードにおいては巻き径が大きくなると加熱温度を下げ、第２巻き取りモードにおいては巻き径が大きくなると加熱温度を上げる。
【００５１】
また、上記のように、キャリッジ８は、メディアＭにおける記録が実行される記録面Ｍ１に液滴（インク）を吐出する記録ヘッドＨを有している。  
そして、制御部１２は、記録面Ｍ１に吐出される液滴の量に応じて加熱部Ｔを制御することができる。
【００５２】
記録面Ｍ１に吐出される液滴の量に応じた加熱部Ｔの具体的な制御としては、例えば、液滴の量が多い場合は第２加熱部Ｔ２の出力を増加させ（加熱温度を高くして）液滴の揮発成分を効果的に揮発させ、液滴の量が少ない場合は第２加熱部Ｔ２の出力を減少させ（加熱温度を低くして）室温との温度差を小さくするなどできる。したがって、本実施例の記録装置１は、効果的に巻き取り不良を抑制できる。このとき、第２加熱部Ｔ２の出力の増減に応じて、第１加熱部Ｔ１の出力を増減させてもよい。
【００５３】
［実施例２］（図４）  
次に、実施例２の記録装置１について説明する。  
図４は本実施例の記録装置１における記録装置１の概略側面図であり、実施例１の記録装置１の図１に対応する図である。なお、上記実施例１と共通する構成部材は同じ符号で示しており、詳細な説明は省略する。  
ここで、本実施例の記録装置１は、加熱部Ｔの構成以外は、実施例１の記録装置１と同様の構成である。
【００５４】
図１及び図２で表されるように、実施例１の記録装置１における加熱部Ｔは、キャリッジ８からテンションバー１０までの間を加熱する第１加熱部Ｔ１と、テンションバー１０から巻取部１１までの間を加熱する第２加熱部Ｔ２が別体で構成されていた。一方、本実施例の記録装置１における加熱部Ｔは、図４で表されるように、キャリッジ８から巻取部１１までの間を１つの加熱部Ｔにおいて加熱可能な構成である。
【００５５】
そして、本実施例の加熱部Ｔは、領域Ｓ１においてキャリッジ８からテンションバー１０までの間を加熱（テンションバー１０の加熱も含む）し、領域Ｓ２においてテンションバー１０から巻取部１１までの間を加熱（巻取部１１の加熱も含む）する構成である。このように、加熱部Ｔは、複数の加熱部で構成されていてもよいし、１つの加熱部で構成されていてもよい。
【００５６】
なお、本発明は上記実施例に限定されることなく、特許請求の範囲に記載した発明の範囲内で種々の変形が可能であり、それらも本発明の範囲内に含まれることは言うまでもない。例えば、巻取部１１やテンションバー１０などに加熱部を設けてもよい。ただし、巻取部１１に加熱部を設ける場合、該巻取部１１を回転させることが可能なように、電極にモーターブラシなどを使用することが好ましい。
【符号の説明】
【００５７】
１…記録装置、２…セット部、３…第１プラテン、４…駆動ローラー、
５…従動ローラー、６…搬送ローラー対（搬送部）、７…第２プラテン、
８…キャリッジ（記録部）、９…第３プラテン、１０…テンションバー（ガイド部）、
１１…巻取部、１２…制御部（加熱制御部、巻取制御部）、１３…ＣＰＵ、
１４…システムバス、１５…ＲＯＭ、１６…ＲＡＭ、１７…ヘッド駆動部、
１８…モーター駆動部、１９…キャリッジモーター、２０…搬送モーター、
２１…送出モーター、２２…巻取モーター、２３…加熱部駆動部、２４…入出力部、
２５…ＰＣ、Ｈ…記録ヘッド、Ｍ…メディア、Ｍ１…記録面、Ｍ２…非記録面、
Ｒ１…ロール体、Ｒ２…ロール体、Ｓ１…領域、Ｓ２…領域、Ｔ…加熱部、
Ｔ１…第１加熱部、Ｔ２…第２加熱部
【図１】
2019155707.tif 000003
【図２】
2019155707.tif 000004
【図３】
2019155707.tif 000005
【図４】
2019155707.tif 000006